【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
作業領域内に配置された加工対象物の加工対象面に対して、レーザ光を照射して、所望の加工パターンに加工可能なレーザ加工装置であって、
レーザ光を発生させるためのレーザ発振部と、
前記レーザ発振部より出射されるレーザ光を作業領域内において走査させるためのレーザ光走査系と、
を少なくとも備えるヘッド部と、
前記レーザ発振部および前記レーザ光走査系を制御するためのレーザ制御部と、
所望の加工パターンに加工する加工条件として複数の加工パラメータを入力するための加工条件設定部と、
前記加工条件設定部で設定された加工条件に従って、３次元的な加工対象面のレーザ加工データを生成する加工データ生成部と、
前記加工データ生成部で生成されたレーザ加工データのイメージを３次元的に表示可能な加工イメージ表示部と、
前記加工イメージ表示部に３次元レーザ加工データを表示する際に加工対象面上にレーザ加工データを配置する初期位置を決定する初期位置設定手段と、
を備え、
前記初期位置設定手段が初期位置として、前記ヘッド部からレーザ光を照射可能な範囲内に自動的に配置することを特徴とするレーザ加工装置。
【請求項２】
請求項１に記載のレーザ加工装置であって、
前記初期位置設定手段が初期位置として、加工対象面を作業領域の中心に置いた際に前記ヘッド部からレーザ光を最も精度よく照射できる位置を、レーザ加工データを区画するブロックの隅部と一致させるように配置することを特徴とするレーザ加工装置。
【請求項３】
作業領域内に配置された加工対象物の、円柱状、円錐状、又は球状のいずれかの加工対象面に対して、レーザ光を照射して、所望の加工パターンに加工可能なレーザ加工装置であって、
レーザ光を発生させるためのレーザ発振部と、
前記レーザ発振部より出射されるレーザ光を作業領域内において走査させるためのレーザ光走査系と、
を少なくとも備えるヘッド部と、
前記レーザ発振部および前記レーザ光走査系を制御するためのレーザ制御部と、
所望の加工パターンに加工する加工条件として複数の加工パラメータを入力するための加工条件設定部と、
前記加工条件設定部で設定された加工条件に従って、３次元的な加工対象面のレーザ加工データを生成する加工データ生成部と、
前記加工データ生成部で生成されたレーザ加工データのイメージを３次元的に表示可能な加工イメージ表示部と、
前記加工イメージ表示部に３次元レーザ加工データを表示する際に加工対象面上にレーザ加工データを配置する初期位置を決定する初期位置設定手段と、
を備え、
前記初期位置設定手段が初期位置として、前記円柱状、円錐状、又は球状の加工対象面の頂点を、レーザ加工データを区画するブロックの隅部と一致させるように配置することを特徴とするレーザ加工装置。
【請求項４】
請求項１から３のいずれか一に記載のレーザ加工装置であって、
前記初期位置設定手段で配置される初期位置を、ユーザが変更可能に構成してなることを特徴とするレーザ加工装置。
【請求項５】
請求項１から４のいずれか一に記載のレーザ加工装置であって、
前記初期位置設定手段が初期位置として、加工対象面を構成する基本図形に対して、レーザ加工データをセンタリングして配置するよう構成してなることを特徴とするレーザ加工装置。
【請求項６】
請求項１から４のいずれか一に記載のレーザ加工装置であって、
前記初期位置設定手段が初期位置として、加工対象面を構成する基本図形に対して、レーザ加工データを区画するブロックの隅部を左詰めして配置するよう構成してなることを特徴とするレーザ加工装置。
【請求項７】
請求項１から４のいずれか一に記載のレーザ加工装置であって、
前記初期位置設定手段が初期位置として、加工対象面を構成する基本図形に対して、レーザ加工データを区画するブロックの隅部を右詰めして配置するよう構成してなることを特徴とするレーザ加工装置。
【請求項８】
請求項１から７のいずれか一に記載のレーザ加工装置であって、
前記初期位置設定手段が初期位置として、レーザ加工が不可能若しくは不良となる領域を排除してレーザ加工データを配置するよう構成してなることを特徴とするレーザ加工装置。
【請求項９】
請求項８に記載のレーザ加工装置であって、
前記初期位置設定手段が初期位置として、レーザ加工が不可能若しくは不良となる領域を排除した加工可能領域に対して、レーザ加工データを区画するブロックをセンタリング、左詰め又は右詰めして配置するよう構成してなることを特徴とするレーザ加工装置。
【請求項１０】
請求項１から９のいずれか一に記載のレーザ加工装置であって、
前記初期位置設定手段が、レーザ加工データが加工可能領域よりも大きい場合に、前記加工イメージ表示部において加工対象面上にレーザ加工データを表示しないように構成してなることを特徴とするレーザ加工装置。
【請求項１１】
請求項１から１０のいずれか一に記載のレーザ加工装置であって、
前記初期位置設定手段が、前記ヘッド部と加工対象面との位置関係に応じて、最も精度良く加工可能な位置にレーザ加工データを区画するブロックの隅部を一致させるように配置することを特徴とするレーザ加工装置。
【請求項１２】
請求項１から１１のいずれか一に記載のレーザ加工装置であって、
前記レーザ光走査系が、
入射レンズと出射レンズを備えるビームエキスパンダであって、前記レーザ発振部から照射されるレーザ光の光軸に前記入射レンズ及び出射レンズの光軸を一致させた状態で、入射レンズと出射レンズ間の相対距離を変化させてレーザ光の焦点距離を調整可能なビームエキスパンダと、
前記ビームエキスパンダを透過したレーザ光を第１の方向に走査させるための第１のミラーと、
前記第１のミラーで反射されたレーザ光を前記第１の方向と略直交する第２の方向に走査させるための第２のミラーと、
を有し、
前記第１のミラー及び第２のミラーがガルバノミラーで構成され、各々略直交する回転軸を中心に回転可能なガルバノメータ式スキャナに接続されてＸ軸スキャナ及びＹ軸スキャナを構成してなることを特徴とするレーザ加工装置。
【請求項１３】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定装置であって、
所望の加工パターンに加工する加工条件として複数の加工パラメータを入力するための加工条件設定部と、
前記加工条件設定部で設定された加工条件に従って、３次元的な加工対象面のレーザ加工データを生成する加工データ生成部と、
前記加工データ生成部で生成されたレーザ加工データのイメージを３次元的に表示可能な加工イメージ表示部と、
前記加工イメージ表示部に３次元レーザ加工データを表示する際に加工対象面上にレーザ加工データを配置する初期位置を決定する初期位置設定手段と、
を備え、
前記初期位置設定手段が初期位置として、前記円柱状、円錐状、又は球状の加工対象面の頂点を、レーザ加工データを区画するブロックの隅部と一致させるように配置することを特徴とするレーザ加工データ設定装置。
【請求項１４】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定方法であって、
所望の加工パターンに加工する加工条件として複数の加工パラメータを指定する工程と、
加工条件に従って生成されたレーザ加工データのイメージを加工イメージ表示部に３次元的に表示する際に、加工対象面上にレーザ加工データを配置する初期位置を決定する初期位置として、レーザ光を照射可能な範囲内に自動的に配置する工程と、
を含むことを特徴とするレーザ加工データ設定方法。
【請求項１５】
作業領域内に配置された加工対象物の加工対象面に対して、レーザ光を照射して、所望の加工パターンに加工可能なレーザ加工装置について、所望の加工パターンに基づいて加工データを設定するためのレーザ加工データ設定プログラムであって、
所望の加工パターンに加工する加工条件として複数の加工パラメータを指定する機能と、
加工条件に従って生成されたレーザ加工データのイメージを加工イメージ表示部に３次元的に表示する際に、加工対象面上にレーザ加工データを配置する初期位置を決定する初期位置として、レーザ光を照射可能な範囲内に自動的に配置する機能と、
をコンピュータに実現させることを特徴とするレーザ加工データ設定プログラム。
【手続補正２】
【補正対象書類名】明細書
【補正対象項目名】発明の名称
【補正方法】変更
【補正の内容】
【発明の名称】レーザ加工装置、レーザ加工条件設定装置、レーザ加工条件設定方法、レーザ加工条件設定プログラム
【手続補正３】
【補正対象書類名】明細書
【補正対象項目名】００２３
【補正方法】変更
【補正の内容】
【００２３】
さらにまた本発明の一実施形態に係るプログラムを格納したコンピュータで読み取り可能な記録媒体又は記録した機器は、上記プログラムを格納するものである。記録媒体には、ＣＤ−ＲＯＭ、ＣＤ−Ｒ、ＣＤ−ＲＷやフレキシブルディスク、磁気テープ、ＭＯ、ＤＶＤ−ＲＯＭ、ＤＶＤ−ＲＡＭ、ＤＶＤ−Ｒ、ＤＶＤ＋Ｒ、ＤＶＤ−ＲＷ、ＤＶＤ＋ＲＷ、Ｂｌｕ−ｒａｙ（登録商標）、ＨＤ
ＤＶＤ等の磁気ディスク、光ディスク、光磁気ディスク、半導体メモリその他のプログラムを格納可能な媒体が含まれる。またプログラムには、上記記録媒体に格納されて配布されるものの他、インターネット等のネットワーク回線を通じてダウンロードによって配布される形態のものも含まれる。さらに記録した機器には、上記プログラムがソフトウェアやファームウェア等の形態で実行可能な状態に実装された汎用もしくは専用機器を含む。さらにまたプログラムに含まれる各処理や機能は、コンピュータで実行可能なプログラムソフトウエアにより実行してもよいし、各部の処理を所定のゲートアレイ（ＦＰＧＡ、ＡＳＩＣ）等のハードウエア、又はプログラムソフトウエアとハードウェアの一部の要素を実現する部分的ハードウエアモジュールとが混在する形式で実現してもよい。
【手続補正４】
【補正対象書類名】明細書
【補正対象項目名】００２４
【補正方法】変更
【補正の内容】
【００２４】
第１及び第１３〜１５発明によれば、レーザ加工データをレーザ照射可能な位置に自動的に配置した上で３次元表示されるので、ユーザは特に視野変更などを行わなくともデフォルト状態で視覚的に加工状態を容易に把握できる。第２発明によれば、デフォルト状態で加工精度の高い位置にレーザ加工データを配置することができる。第３発明によれば、円柱状、円錐状、又は球状の加工対象面の頂点で、視認性と加工精度の高い位置にレーザ加工データを配置して３次元表示できる。第４発明によれば、初期位置をユーザが所望の位置に変更でき、使い勝手良く使用できる。第５〜第７発明によれば、レーザ加工データの初期位置をセンタリング、左寄せ、右寄せなど、所望の状態に揃えることができる。
第８及び第９発明によれば、レーザ加工データが不可能若しくは不良となる領域に配置されないよう、言い換えると加工に適した位置に自動的に配置できる。第１０発明によれば、物理的にレーザ加工データの配置ができない場合に非表示として、ユーザに警告や再設定を促すことができる。第１１発明によれば、ヘッド部と加工対象面との位置関係に応じて、自動的にレーザ加工データのレイアウトが設定されるので、特に複数の加工ブロックが設定されている場合に、設定の手間を省いて簡単に適切な自動配置が実現される。第１２発明によれば、３次元的な加工対象面に加工可能なレーザ加工装置において、３次元の加工対象面のイメージを好適に表示して確認できる。